(57)【特許請求の範囲】
【請求項１】
第１のケーシング部（６）及び第１のケーシング部（６）に接続可能な第２のケーシング部（７）と、ケーシング部（６、７）によって規定され電気又は電子部品を収容する収容空間（８）とを備える電気又は電子部品を収容し、固定する挿入ケーシングにおいて、
ケーシング部（６、７）はロータリージョイント（１２）を形成し、
少なくとも１つの拡開部材（１４〜１６）が第１のケーシング部（６）に一体に及び弾性的に配置され、
少なくとも１つの拡開部材（１４〜１６）は、ロータリージョイント（１２）が閉成されるとき第２のケーシング部（７）によって拡開可能であることを特徴とする挿入ケーシング。
【請求項２】
第１のケーシング部（６）は、環状側壁（１１）を中心長手方向軸線（ｍ１）と共に有し、
少なくとも１つの拡開部材（１４〜１６）は、側壁に配置され、中心長手方向軸線（ｍ１）に対し径方向に拡開可能であることを特徴とする請求項１記載の挿入ケーシング。
【請求項３】
第１のケーシング部（６）に設けた拡開部材（１４〜１６）に第１の端部（１７）及び第２の端部（１８）を有し、
少なくとも１つの拡開部材（１４〜１６）は、第２の端部（１８）の方向に径方向に増加する壁厚（ｗ）を有することを特徴とする請求項１又は請求項２記載の挿入ケーシング。
【請求項４】
少なくとも１つの拡開部材（１４〜１６）は収容空間（８）に面する内壁（２０）を内径（ｒＳ）と共に有し、
内径（ｒＳ）は少なくとも１つの拡開部材（１４〜１６）の第２の端部（１８）の方向にテーパー付けされることを特徴とする請求項１乃至請求項３何れか１項記載の挿入ケーシング。
【請求項５】
少なくとも１つの拡開部材（１４〜１６）は収容空間（８）から離れた外壁（２１）を外径（ＲＳ）と共に有し、
外径（ＲＳ）は側壁（１１）の外径（ＲＧ）に対応することを特徴とする請求項１乃至請求項４何れか１項記載の挿入ケーシング。
【請求項６】
少なくとも１つの拡開部材（１４〜１６）には、第１のケーシング部（６）を対象物（１）の凹部（３）内に固定するための収容空間（８）から離れた外壁（２１）に外形（２２、２３、２４）が設けられていることを特徴とする請求項１乃至請求項５何れか１項記載の挿入ケーシング。
【請求項７】
外形（２２、２３、２４）は、中心長手方向軸線（ｍ１）の周りで走行するリブ（２３）を備えていることを特徴とする請求項６記載の挿入ケーシング。
【請求項８】
少なくとも２つの拡開部材（１４〜１６）は第１のケーシング部（６）を備え、拡開部材（１４〜１６）は中心長手方向軸線（ｍ１）の周りで例えば互いに均等に離隔されるように配置されていることを特徴とする請求項１乃至請求項７何れか１項記載の挿入ケーシング。
【請求項９】
ケーシング部（６、７）は、少なくとも１つの拡開部材（１４〜１６）が拡開され開成しているとき互いにケーシング部（６、７）の回転運動を停止させるため少なくとも１つの停止部（３３）及び組み合わされた対抗停止部（３４）を有することを特徴とする請求項１乃至請求項８何れか１項記載の挿入ケーシング。
【請求項１０】
第２のケーシング部（７）は少なくとも１つの拡開部材（１４〜１６）を拡開する少なくとも１つの接触部材（２９〜３１）を有し、少なくとも１つの接触部材（２９〜３１）の長さＬＡは少なくとも１つの拡開部材（１４〜１６）の長さＬＳに対してＬＡ／ＬＳ≧０．５、ＬＡ／ＬＳ≧０．６、及びＬＡ／ＬＳ≧０．７の何れか１つであることを特徴とする請求項１乃至請求項９何れか１項記載の挿入ケーシング。
【請求項１１】
少なくとも一つのケーシング部（６、７）は、中心長手方向軸線（ｍ１、ｍ２）に同心円状に配置された工具係合部材（３５）が設けられていることを特徴とする請求項１乃至請求項１０何れか１項記載の挿入ケーシング。
【請求項１２】
少なくとも１つのケーシング部（６、７）は収容空間（８）内に少なくとも１つの貫通開口（３６）を有し、少なくとも１つの貫通開口（３６）は工具係合部材（３５）と共にケーシング部（６、７）内に形成されていることを特徴とする請求項１乃至請求項１１何れか１項記載の挿入ケーシング。
【請求項１３】
請求項１から請求項１２の少なくとも１項にしたがう挿入ケーシング（５）を設けること、
第１のケーシング部（６）を対象物（１）の凹部（３）内に配置すること、
ロータリージョイント（１２）を閉成することにより第２のケーシング部（７）を第１のケーシング部（６）と接続し、第２のケーシング部（７）は少なくとも１つの拡開部材（１６〜１４）を拡開し、挿入ケーシング（５）を凹部（３）内に固定することを特徴とする挿入ケーシングを対象物に固定する固定方法。
【発明の詳細な説明】
【技術分野】
【０００１】
本発明は、電気部品を固定するための挿入ケーシングに関し、特に第１のケーシン
グ部及び第１のケーシング部に接続可能な第２のケーシング部とケーシング部によって規定され電気又は電子部品を収容する収容空間とを備える挿入ケーシングに関する。さらに、本発明は、この形式の挿入ケーシングを対象物に固定する固定方法に関する。
【背景技術】
【０００２】
電気装置をフロア凹部に取り付けるための挿入ケーシングは特許文献１から知られている。挿入ケーシングは、このケーシングをフロア凹部に固定するためのかかり係止片を備えた柔軟な保持脚部を有するブラケットを備えている。カバーがその上に載置されるとき、係止部を備える保持脚部が外方に拡開し、このケーシングが係止部によって確実にフロア凹部に固定される。上記挿入ケーシングの欠点は、複雑なデザインを有し、取付け及び取外しが困難であるということである。
【先行技術文献】
【特許文献】
【０００３】
【特許文献１】ＵＳ  ２００８／０５４  １３５  Ａ１
【発明の概要】
【発明が解決しようとする課題】
【０００４】
本発明の目的は、簡素なデザインを有し、取付け及び取外しが容易な電気部品を収容し、固定するための挿入ケーシングを提供することにある。
【課題を解決するための手段】
【０００５】
この目的は、本発明にしたがう挿入ケーシングによって達成される。電気部品のための収容空間を画定するケーシング部は、ロータリージョイントを形成し、このためにケーシング部はロータリージョイントを閉成することによって接続可能であり、ロータリージョイントを開成することによって解除可能である。第１のケーシング部はロータリージョイントを閉成するとき第２のケーシング部によって拡開されるのに適合された少なくとも１つの拡開部材が設けられている事実に因って、第２のケーシング部はロータリージョイントを閉成することによって第１のケーシング部に簡単に接続され、一方、少なくとも１つの拡開部材は同時に拡開され、換言すれば、径方向に偏位され、したがって挿入ケーシングを組み合わされた凹部内で締留め及び固定する簡単な形態を提供する。その結果、挿入ケーシングはシンプルなデザインを有し、容易、確実に固定することができる。
【０００６】
挿入ケーシングを取外すために、ロータリージョイントは開成され、挿入ケーシングの締留め、換言すれば、固定を組み合わされた凹部内で解除する。その結果、挿入ケーシングが同様に容易に取り外し可能である。
【０００７】
ロータリージョイントは、ねじ継手とバヨネット継手から成るグループから選択される。好ましくは、複数のケーシング部は雌ねじ及び組み合わされた雄ねじを形成し、したがって複数のケーシング部を一緒に螺合できるようにしている。好ましくは、雌ねじは第１のケーシング部に設けられ、一方、雄ねじは第２のケーシング部に設けられている。
【０００８】
挿入ケーシングは、簡素なデザインを有し、簡単に取付け可能である。少なくとも１つの拡開部材が第１のケーシング部の環状側壁に配置されている事実に因り、上記拡開部材は、ロータリージョイントを閉成するとき第２のケーシング部を第１のケーシング部に対して長手方向軸線方向の周りに回転させることにより、容易に拡開でき、換言すれば、長手方向軸線方向における径方向に偏位可能である。好ましくは、第のケーシング部は、環状の側壁が固定されるケーシング底部を有する。好ましくは、ケーシング底部及び側壁は一体に形成されている。
【０００９】
挿入ケーシングは、簡素なデザインを有している。少なくとも１つの拡開部材を第１のケーシング部と一体に形成することは、挿入ケーシングの製造を容易にし、弾性アセンブリを製造する簡素な技法を提供する。弾性アセンブリは、ロータリージョイントを開成するとき少なくとも１つの拡開部材が非拡開位置に自動的に戻って、挿入ケーシングを容易に取り外すことができる。
【００１０】
挿入ケーシングは、少なくとも１つの拡開部材を容易に設けることができる。少なくとも１つの拡開部材は、径方向に増加する壁厚を有して少なくとも１つの拡開部材が非拡開位置における収容空間内に突出するようになる。ロータリージョイントを閉成するとき、少なくとも１つの拡開部材は、第２のケーシング部によって収容空間から押し出され、少なくとも１つの拡開部材を径方向に偏位させる。偏位された位置又は拡開位置において、少なくとも１つの拡開部材が第１のケーシング部の外周を越えて突出して挿入ケーシングは組み合わされた凹部内で締留められ、固定されるようになる。
【００１１】
挿入ケーシングは、簡単に取付け及び取外し可能である。少なくとも１つの拡開部材はその自由端の方向にテーパー付けされた内径ｒＳを有して、少なくとも１つの拡開部材が非拡開位置にあるとき収容空間内に突出するようになっている。ロータリージョイントを閉成するとき少なくとも１つの拡開部材は、第２のケーシング部によって収容空間から押し出され、少なくとも１つの拡開部材を径方向に偏位させる。偏位された位置又は拡開位置において、少なくとも１つの拡開部材が第１のケーシング部の外周を越えて突出して挿入ケーシングは組み合わされた凹部内で締留められ、固定されるようになる。
【００１２】
挿入ケーシングは、容易に取付け及び取外し可能である。拡開部材の非拡開位置において、少なくとも１つの拡開部材の外半径ＲＳは第１のケーシング部の外径ＲＧに対応する事実に因り、挿入ケーシングを容易に凹部内に挿入可能であり、凹部から取り外し可能である。少なくとも１つの拡開部材がロータリージョイントを閉成することによって拡開されるとき、少なくとも１つの拡開部材が第１のケーシング部の外周を越えて突出して挿入ケーシングは凹部内で締留められるようになる。外径ＲＳは外径ＲＧに対応するので、締留め部は凹部の大きな表面積を横切って延びる。
【００１３】
挿入ケーシングは、容易かつ確実に固定することができる。少なくとも１つの拡開部材の外壁に設けられた外形は、収納空間を形成する対象物との接続を改善する。
【００１４】
挿入ケーシングは、容易かつ確実に固定することができる。周方向に延びるリブは、挿入ケーシングが長手方向軸線方向に移動するのを効果的に防止する。
【００１５】
挿入ケーシングは、容易かつ確実に固定することができる。複数の拡開部材は、異なる径方向に第１のケーシング部の外周を増加させ、したがって、挿入ケーシングを凹部内に均一かつ確実に固定することができるようになる。
【００１６】
挿入ケーシングは、簡単に取付け可能である。ケーシング部が少なくとも１つの停止部及び組合わさった対抗停止部を形成する事実に因り、回転運動は、少なくとも１つの拡開部材が拡開位置に達するとき容易に停止される。これは、ケーシング部の過剰な回転を防止し、その結果、少なくとも１つの拡開部材を意図された拡開位置から意図しない非拡開位置に移動するのを防止する。
【００１７】
挿入ケーシングは、容易かつ確実に固定することができる。少なくとも１つの接触部材は、少なくとも１つの拡開部材が特に大きな表面積にわたって確実に拡開することを保証する。
【００１８】
挿入ケーシングは、簡単に取付け及び取外し可能である。工具係合部材は、ロータリージョイントを開成、閉成する簡便な技法、したがって少なくとも１つの拡開部材を拡開、解除する簡便な技法を提供する。工具係合部材は、特に、複数のケーシング部の１つに凹部として構成されている。工具係合部材は、好ましくは、第２のケーシング部に設けられている。
【００１９】
挿入ケーシングは、簡単に取付け及び取外し可能である。収容空間に配置された（配置されるべき）電気又は電子部品のためのケーブルの接続は、挿入ケーシングの取付け及び取外しに妨害することなく少なくとも１つの貫通開口部を介して収容空間に容易に案内される。少なくとも１つの貫通開口部は、好ましくは、工具係合部材が設けられているケーシング部内に形成されている。その結果、上記ケーシング部は、工具係合部材のため露出して、同時に、少なくとも１つの貫通開口部を介してケーブル接続を導入、導出し案内するために使用することができる。好ましくは、少なくとも１つの貫通開口部及び工具係合部材は、第２のケーシング部に形成される。
【００２０】
本発明の他の目的は、挿入ケーシングを容易かつ確実に対象物に固定することを可能にする方法を提供することである。
【００２１】
この目的は、本発明にしたがう方法によって達成される。本発明による方法の利点は、本発明にしたがう挿入ケーシングの上述した利点に対応する。本発明による方法は、上述の特徴を有するように展開することができる。
【００２２】
第１のステップでは、第１のケーシング部は対象物の凹部に配置される。次に、電気又は電子部品が配置される収容空間は第２のケーシング部によって閉成される。このために、複数のケーシング部は、ロータリージョイントを閉成することによって相互に接続され、第２のケーシング部を少なくとも１つの拡開部材によって拡開されるようにし、第１のケーシング部は、それに接続された第２のケーシングと一緒に対象物の凹部内に取付けることができる。ロータリージョイントが閉成されるとき、挿入ケーシングは同時に凹部内で閉成され、締留められる。
【００２３】
挿入ケーシングを取外しするために、ロータリージョイントが開成されて、少なくとも１つの拡開部材によって設けられた締留めが解除される。
【００２４】
本発明の他の特徴、利点及び詳細は、いくつかの例示的な実施例について以下の説明から明らかになる。
【図面の簡単な説明】
【００２５】
【図１】第１の例示的な実施例にしたがう電子部品を収容し、固定するための挿入ケーシングの斜視図を示す。
【図２】図１における挿入ケーシングの第１のケーシング部の斜視図を示す。
【図３】図１における挿入ケーシングの第２のケーシング部の斜視図を示す。
【図４】据え付けのために準備された、図１にしたがう挿入ケーシングの部分切断平面図を示す。
【図５】図４における断面線V-Vに沿った挿入ケーシングの軸線方向断面図を示す。
【図６】固定された、図１にしたがう挿入ケーシングの部分切断平面図を示す。
【図７】図６における断面線VII-VIIに沿った挿入ケーシングの軸線方向断面図を示す。
【図８】第２の例示的な実施例にしたがう挿入ケーシングの斜視図を示す。
【発明を実施するための形態】
【００２６】
以下、本発明の電気部品を固定するための挿入ケーシング、この形式の挿入ケーシングを固定する対象物及び挿入ケーシングを対象物に固定する固定方法における実施の形態について図面を参照して詳述する。
【００２７】
以下の説明部分では、本発明の第１の例示的実施例を図１〜図７に基づいて説明する。一部の家具として構成された対象物１はベース本体２を有し、ベース本体２には凹部３が形成されている。凹部３は、円形の断面を有し、かつ中心長手方向軸線Ｍを有し、凹部３の境界となるベース本体側壁４は上記中心長手方向軸線Ｍから距離Ｒを有する。凹部３は止まり穴として構成されている。
【００２８】
凹部３は、挿入ケーシング５の据え付けを許容するように構成されている。挿入ケーシング５は第１のケーシング部６及び第２のケーシング部７を含むもので、収容空間８を規定する。収容空間８は、電気又は電子部品９を収容するのに適しており、図５、図７に概略図示されている。
【００２９】
第１のケーシング部６は、底部１０と、これに取付けられている環状側壁１１とを有する。第１のケーシング部６は中心長手方向軸線ｍ１を有し、側壁１１の内側は中心長手方向軸線ｍ１から距離ｒＧに配置され、一方、側壁１１の外側は中心長手方向軸線ｍ１から距離ＲＧに配置されている。ケーシング部６、７は、ロータリージョイント１２によって互いに接続可能である。この目的のために、第１のケーシング部６には、底部１０から離隔している側壁１１の端部に雌ねじ１３が設けられている。
【００３０】
組み合わされた凹部３内に挿入ケーシング５を確保するために、第１のケーシング部６は３つの拡開部材１４〜１６を有する。拡開部材１４〜１６は、底部１０と雌ねじ１３との間で側壁１１に形成されている。周方向に見て、拡開部材１４〜１６は中心長手方向軸線ｍ１の周りに均等に分布し、言い換えれば、それらは中心長手方向軸線ｍ１の周りで１２０°の開角を有している。拡開部材１４〜１６の各々は第１の端部１７を有し、第１の端部１７は側壁１１と一体に形成される。それぞれの第１の端部１７から始まり、拡開部材１４〜１６は、中心長手方向軸線ｍ１の周りで周方向に延在し、それぞれ第２の自由端部１８が設けられている。したがって、拡開部材１４〜１６は、側壁１１においてそれぞれのＵ字型突破口１９により形成される。拡開部材１６〜１４は第１のケーシング部、厳密に言えば、その側壁１１と一体に形成されて、これに弾性的に取付けられるようにされている。それらのデザイン及び配置に因り、拡開部材１４〜１６は、拡開可能であり、言い換えれば、中心長手方向軸線ｍ１に対して偏位可能である。
【００３１】
拡開部材１４〜１６の各々は、収容空間８に対向する内壁２０及び収容空間８から離隔している外壁２１を有する。内壁２０は平滑である。外壁２１は、中心長手方向軸線ｍ１からの距離又は外径ＲＳを有し、これは拡開部材１４〜１６が偏位されておらず、言い換えれば、拡開されていないときの距離又は外径ＲＧに対応している。さらに、内壁２０のそれぞれは中心長手方向軸線ｍ１からの距離又は内径ｒＳを有し、これは一定ではなく、それぞれの拡開部材１４〜１６の第１の端部１７からその組み合わされている第２の端部１８までテーパー付けされている。拡開部材１４〜１６の内壁２０は、それらのそれぞれの自由端部１８の方向にテーパー付けされている。第１の端部１７において、内径ｒＳは距離又は内径ｒＧより僅かに小さく、ｒＳ≒０．９７ｒＧである。これと対照的に、拡開部材１４〜１６の自由端部１８における内径ｒＳはｒＳ≦０．９６ｒＧ、特にｒＳ≦０．９３ｒＧ、特にｒＳ≦０．９０ｒＧである。その結果、拡開部材１４〜１６は壁厚ｗを有し、これには一般的にｗ＝ＲＳ−ｒＳが適用される。壁厚ｗは拡開部材１４〜１６のそれぞれの自由端部１８の方向に径方向に増加する。
【００３２】
拡開部材１４〜１６の外壁２１には周方向に延びる溝２２が設けられ、これによって外壁２１は周方向に延びるリブ２３を形成する。言い換えると、外壁２１は、外形が設けられる。さらに、拡開部材１４〜１６の自由端部１８には、外壁２１に配置され、確実な固定を保証する幾つかのかかり係止片が設けられる。かかり係止片は外形の一部である。
【００３３】
ケーシング部６、７は、ロータリージョイント１２を閉成するとき第２のケーシング部７によって、拡開部材１４〜１６が拡開され、換言すれば外側に偏位されるように構成される。第２のケーシング部７は実質的に円盤状の蓋２５を中心長手方向軸線ｍ２と共に有する。ロータリージョイント１２を閉成するために、蓋２５にはその円周に雄ねじ２６が設けられ、雄ねじ２６は中心長手方向軸線ｍ２の周りの回転運動により組み合わされる雌ねじ１３に螺合されるように適合されている。
ロータリージョイント１２は、ロータリージョイント１２を閉成するために、第２のケーシング部７が拡開部材１４〜１６の第１の端部１７からその自由端部１８まで延びる閉成方向２７における第１のケーシング部６に対して回転されることを必要とするように、構成されている。逆に、開成方向２８は拡開部材１４〜１６の自由端部１８からその第１の端部１７までに延びている。
【００３４】
拡開部材１４〜１６を拡開するために、多数の接触部材２９〜３１が収容空間８に対向する蓋２５の内側に配置され、その数は拡開部材１４〜１６の数に対応している。接触部材２９〜３１は中心長手方向軸線ｍ２の周りに配置されて、周方向に見たとき互いに均一に離間し、換言すれば、それらは互いに１２０°の開角を有している。接触部材２９〜３１の各々は、拡開部材１４〜１６の端部１７において内径ｒＳに対応する中心長手方向軸線ｍ２からの距離又は外径ＲＡを有する外壁３２を有している。換言すれば、外壁３２は湾曲しており、曲率半径が自由端部１７において内径ｒＳに対応し、接触部材２９〜３１は組み合わされた拡開部材１４〜１６に対して当接する。接触部材２９〜３１は周方向に長さＬＡを有し、長さＬＡと拡開部材１４〜１６の長さＬＳの比率はＬＡ／ＬＳ≧０．５、特にＬＡ／ＬＳ≧０．７である。これにより、拡開部材１４〜１６を大きな表面積にわたって組み合わされた接触部材２９〜３１
によって拡開させて、接触部材２９〜３１で大きな表面積にわたって延びる半径方向の接触圧力を発生させるのである。
【００３５】
拡開位置にあるときケーシング部６、７の回転運動を互いに対して停止するために、ケーシング部６には複数の停止部３３が設けられ、一方、ケーシング部７には対応する複数の対抗停止部３４が設けられる。停止部３３は、収納空間８において側壁１１に配置されたウェブとして構成される。停止部３３は、中心長手方向軸線Ｍ１に実質的に平行である。また、停止部３３は、拡開部材１４〜１６の第１の端部１７に隣接するように側壁１１に配置されている。停止部３３は、側壁１１と一体に形成されている。停止部３３の中心長手方向軸線Ｍ１からの距離Ｒｔは、拡開部材１４〜１６の端部１７において距離ｒＳに実質的に対応している。
【００３６】
対抗停止部３４は蓋２５の内側に配置される。対抗停止部３４は実質的に中心長手方向軸線ｍ２の方向に延びるウェブとして構成される。対抗停止部３４は中心長手方向軸線ｍ２から隔置されて、それらは停止部３３と重なる。対抗停止部３４は中心長手方向軸線ｍ２から最大距離ＲＴを有し、最大距離ＲＴは第１のケーシング部７の内径ｒＧに対応する。
【００３７】
ロータリージョイント１２を閉成し、開成するために、工具係合部材３５は、収容空間８から離れているケーシング部７の外側に配置されている。工具係合部材３５は、中心長手方向軸線ｍ２と同心円状に配置されている。工具係合部材３５は、例えば六角形の形状を有する凹部として構成されている。第２のケーシング部７は、収容空間８に繋がる幾つかの開通開口３６をさらに備えている。開通開口３６は、電気又は電子部品９のケーブル接続（詳細には図示せず）を収容空間８内に導入するのに適している。
【００３８】
挿入ケーシング５の機能は次のとおりである。
【００３９】
第１のステップでは、電気又は電子部品９は収容空間８内に配置され、ケーブル接続は貫通開口３６を通して導入される。その後、第２のケーシング部７は第１のケーシング部６上に配置され、ロータリージョイント１２は未だ開成している。中心長手方向軸線ｍ１、ｍ２は合致している。第２のケーシング部７には第１のマーキング３７を設け、第２ケーシング部７を第１のケーシング部６上で所望の位置に配置することを可能にする。
【００４０】
挿入ケーシング５は、その中に収容された電気又は電子部品９と共に、今や、凹部３内に配置されている。この目的のために、凹部３の半径Ｒは、ケーシングの外径ＲＧよりも僅かに大きい。図４及び図５は開成している挿入ケーシング５の説明図であり、言い換えれば、その拡開部材１４〜１６は外側に偏位されていない。
【００４１】
ロータリージョイント１２を閉成するために、工具係合部材３５は工具によって第２のケーシング部７のために係合されて第２のケーシング部７が閉成方向２７において中心長手方向軸線ｍ１、ｍ２の回りに回転される。第１のケーシング部６が凹部３内において共に回転することを防止するために、拡開部材１４〜１６が非拡開位置にある限りかかり係止片２４が側壁１１を僅かに超えて突出して上記かかり係止片２４がベース本体側壁４と係合することを許容する。拡開部材１４〜１６はかかり係止片２４の少量の突出量によって収容空間８の方向に弾力性であり、変位可能であるので、かかり係止片２４の存在にもかかわらず、挿入ケーシング５は凹部３内に容易に導入可能である。
【００４２】
ケーシング部品６、７の回転運動は、ロータリージョイント１２を閉成させてケーシング部６、７が互いに接続される。第２のケーシング部７には接触部材２９〜３１が設けられているので、上記接触部材２９〜３１は、上記回転運動が行われるとき拡開部材１４〜１６の自由端部１８の方向に変位される。接触部材２９〜３１が変位されているとき、その外壁３２は拡開部材１４〜１６の組み合わされている内壁２０に対し当接する。内壁２０が閉成方向２７にテーパー付けされ、したがって収納空間８内に突出する事実に因り、拡開部材１４〜１６は、回転運動が行われるとき径方向に偏位される。図６、図７は、偏位位置、換言すれば拡開位置において挿入ケーシング５をその拡開部材１４〜１６と共に示している。拡開部材１４〜１６は、その外径が凹部３の外径Ｒよりも大きい程度に拡開する。拡開部材１４〜１６の外壁２１はそれらの外形、換言すれば溝２２及び組み合わされているリブ２３並びにかかり係止片２４でベース本体２の建材内に押圧される。周方向に延びるリブ２３は、挿入ケーシング５が特に中心長手方向軸線ｍ１、ｍ２の方向に固定されることを確実にする。
【００４３】
ケーシング部６、７の回転運動は、停止部３３と組み合わされる対抗停止部３４が互いに当接するに至るとき、停止するに至る。このことが生起したとき、接触部材２９〜３１の外壁３２は、組み合わされる拡開部材１４〜１６の内壁２０と面対面接触している。第２のケーシング部７には第２のマーキング３８が設けられ、拡開部材１４〜１６の拡開位置を示すことができる。
【００４４】
結論として、ロータリージョイント１２を閉成するとき、ケーシング部６、７は、一方で、互いに接続され、拡開部材１４〜１６は同時に偏位され、したがって挿入ケーシング５を対象物１の凹部３内に固定する簡単な方法を提供することができる。その結果、挿入ケーシング５は容易かつ確実に固定することができる。
【００４５】
挿入ケーシング５を取外すために、工具係合部材３５は工具によって再係合されて開成方向２８において第１のケーシング部６に対して第２のケーシング部７を回転する。偏位された拡開部材１４〜１６は、回転運動が行なわれるとき第１のケーシング部６が確実に固定されることを確実にする。開成方向２８において回転運動は接触部材２９〜３１を拡開部材１４〜１６から離れて移動させ、拡開部材１４〜１６の弾性で拡開部材１４〜１６をそれらの原の非拡開位置に戻すことができる。したがって、挿入ケーシング５の凹部３との確実な接続は解除される。ケーシング部６、７間の接続は同様に同時に解除される。したがって、挿入ケーシング５を取外すことは同様に簡単である。ケーシング部６、７はそれぞれプラスチック材料で一体に製造することができる。ケーシング部６、７は、比較的簡素なデザインを有し、製造が容易である。
【００４６】
挿入ケーシング５は、例えば携帯電話の無線充電のための電子部品９を収容し、固定するのに適している。このために、挿入ケーシング５は、例えば一部の家具、特にテーブルに固定される。
【００４７】
以下の説明部分は、図８を参照して、本発明の第２の例示的実施例について説明する。第１の例示的実施例とは対照的に、第１のケーシング部６の底部１０は、側壁１１を越えて径方向に突出してリムを形成する。凹部３が貫通孔として構成されている場合、この実施例は有利である。それで、底部１０によって形成されたリムは凹部３を完全にカバーしている。挿入ケーシング５の他のデザイン及び機能に関する詳細は、第１の例示的実施例の説明中に見出すことができる。
【符号の説明】
【００４８】
１・・・対象物
２・・・ベース
３・・・凹部
４・・・ベース本体側壁
５・・・挿入ケーシング
６・・・第１のケーシング部
７・・・第２のケーシング部
８・・・収容空間
９・・・電気又は電子部品
１０・・・底部
１１・・・環状側壁
１２・・・ロータリージョイント
１３・・・雌ねじ
１４〜１６・・・拡開部材
１７・・・第１の端部
１８・・・第２の端部（第２の自由端部）
１９・・・突破口
２０・・・内壁
２１・・・外壁
２２・・・溝
２３・・・リブ
２４・・・かかり係止片
（２２、２３、２４・・・外形）
２５・・・蓋
２６・・・雄ねじ
２７・・・閉成方向
２８・・・開成方向
２９〜３１・・・接触部材
３２・・・外壁
３３・・・停止部
３４・・・対抗停止部
３５・・・工具係合部材
３６・・・開通開口
３７・・・第１のマーキング
３８・・・第２のマーキング
Ｍ、Ｍ１、ｍ１、ｍ２・・・中心長手方向軸線
Ｒ、ＲＡ、ＲＧ、ＲＳ・・・距離又は外径
ｒＧ、ｒＳ・・・距離又は内径
Ｒｔ、ＲＴ・・・距離
ｗ・・・壁厚
ＬＡ、ＬＳ・・・長さ
【図１】
0006043376.tif 000002
【図２】
0006043376.tif 000003
【図３】
0006043376.tif 000004
【図４】
0006043376.tif 000005
【図５】
0006043376.tif 000006
【図６】
0006043376.tif 000007
【図７】
0006043376.tif 000008
【図８】
0006043376.tif 000009